(57)【要約】      （修正有）【課題】フィルターの着脱性及び組み立て性に優れながら、レンズの光線高が拡大する交換レンズにおいても光線上に適切にフィルターを配置したレンズ鏡筒を提供する。【解決手段】撮像装置にバヨネット部を介して装着され、前記撮像装置側の開口部３１にフィルター５０を取付可能なレンズ鏡筒１であって、前記レンズ鏡筒はフィルターと当接するフィルター面３２を備える固定部材と、前記固定部材と係合する可動部材と、を有し、前記フィルター面は前記バヨネット部２０の端面より物体側に位置し、前記可動部材が移動することで前記フィルター面上でのフィルターの固定が行われることを特徴とした。【選択図】図２
2020067575.tif 000002
【特許請求の範囲】
【請求項１】
撮像装置にバヨネット部を介して装着され、前記撮像装置側の開口部にフィルターを取付可能なレンズ鏡筒であって、
前記レンズ鏡筒はフィルターと当接するフィルター面を備える固定部材と、前記固定部材と係合する可動部材と、を有し、
前記フィルター面は前記バヨネット部の端面より物体側に位置し、
前記可動部材が移動することで前記フィルター面上でのフィルターの抑止が行われることを特徴とするレンズ鏡筒。
【請求項２】
フィルターの一部が差し込まれるフィルター保持部を有し、前記フィルター差込部は前記バヨネット部の端面より物体側に位置することを特徴とする請求項１に記載のレンズ鏡筒。
【請求項３】
前記可動部材は単体の部材であることを特徴とする請求項１又は請求項２に記載のレンズ鏡筒。
【請求項４】
前記固定部材は前記可動部材と係合する係合部を有し、前記係合部は前記可動部材を所定の位置で固定するためのクリック凸部を有することを特徴とする請求項１乃至請求項３のいずれかに記載のレンズ鏡筒。
【請求項５】
前記可動部材は光軸を中心として前記バヨネット部の内径に沿って移動することを特徴とする請求項１乃至請求項４のいずれかに記載のレンズ鏡筒。
【発明の詳細な説明】
【技術分野】
【０００１】
本発明は鏡筒後部にフィルターを装着可能なレンズ鏡筒に関する。
【背景技術】
【０００２】
従来より、デジタルスチルカメラ等に備えられる撮影レンズにはレンズフィルターが装着される。フィルターにはＵＶカットフィルター、ＮＤフィルター等の種類が存在し、ユーザーは適切なフィルターを選択することで、撮影に際して種々の効果を得ることが可能である。
【０００３】
撮影レンズへのフィルターの装着はレンズ鏡筒の物体側にフィルターを締め込む方法が一般的である。しかし固定フードを配置した超広角レンズなど、物体側に対してはフィルターが装着不能な構造の撮影レンズも存在する。そのような撮影レンズに対するレンズ装着機構として、レンズ鏡筒の装着側に内部フードの開口部を覆う形でフィルターを配置する後部フィルター機構が公知である。
【０００４】
特許文献１には、交換レンズの装着側の最端位置にフィルターが挿入されるフィルター取付装置を設けたレンズ鏡筒が開示されている。
【先行技術文献】
【特許文献】
【０００５】
【特許文献１】実開昭５７−１３０８０８号公報
【発明の概要】
【発明が解決しようとする課題】
【０００６】
後部フィルター機構において装着されるフィルターは、ユーザーが切断、配置をする使用形態が一般的である。ここで開口部から撮像素子に向かって光線の光線高が拡大し、最大像高の光線が開口部の縁を通過する構成の撮影レンズにフィルターを装着する場合、フィルターの形状や配置に誤差が生じてしまえば光線上に適切にフィルターを配置できない恐れがあった。
【０００７】
特に大口径レンズや超広角レンズにおいて光線角は更に拡大するため、内部フードにおける開口部が占める面積が大きくなり、フィルターや固定機構を配置することが困難となっていた。
【０００８】
一方、後部フィルター機構を光線高の低い物体側へと移動させれば、光線上にフィルターを配置することは容易となる。しかし後部フィルター機構をバヨネット端面より物体側であるレンズ鏡筒内部に配置する必要があるため、フィルターの取り付け、取り外しが困難となってしまう。
【０００９】
例えば、レンズ鏡筒内部に特許文献１の差し込み式フィルター機構をバヨネット端面より物体側に配置した場合、着脱時にフィルターを歪ませながら、ピンセット等の器具を用いて取り付けることが必要となる。従って、フィルターの破損や、誤操作から最後端のレンズ素子のレンズ表面に意図せず接触し、レンズ表面に傷をつけてしまう恐れ等があった。
【００１０】
上記課題から本発明は、フィルターの着脱性及び組み立て性に優れながら、レンズの光線高が拡大する交換レンズにおいても光線上に適切にフィルターを配置したレンズ鏡筒を提供することを目的とする。
【課題を解決するための手段】
【００１１】
請求項１に示す発明は、撮像装置にバヨネット部を介して装着され、前記撮像装置側の開口部にフィルターを取付可能なレンズ鏡筒であって、前記レンズ鏡筒はフィルターと当接するフィルター面を備える固定部材と、前記固定部材と係合する可動部材と、を有し、前記フィルター面は前記バヨネット部の端面より物体側に位置し、前記可動部材が移動することで前記フィルター面上でのフィルターの抑止が行われることを特徴とするレンズ鏡筒である。
【００１２】
請求項２に示す発明は、フィルターの一部が差し込まれるフィルター保持部を有し、前記フィルター差込部は前記バヨネット部の端面より物体側に位置することを特徴とする請求項１に記載のレンズ鏡筒である。
【００１３】
請求項３に示す発明は、前記可動部材は単体の部材であることを特徴とする請求項１又は請求項２に記載のレンズ鏡筒である。
【００１４】
請求項４に示す発明は、前記固定部材は前記可動部材と係合する係合部を有し、前記係合部は前記可動部材を所定の位置で固定するためのクリック凸部を有することを特徴とする請求項１乃至請求項３のいずれかに記載のレンズ鏡筒である。
【００１５】
請求項５に示す発明は、前記可動部材は光軸を中心として前記バヨネット部の内径に沿って移動することを特徴とする請求項１乃至請求項４のいずれかに記載のレンズ鏡筒である。
【発明の効果】
【００１６】
本発明によれば、フィルターの着脱性及び組み立て性に優れながら、レンズの光線高が拡大する交換レンズにおいても光線上に適切にフィルターを配置したレンズ鏡筒を提供することができる。
【図面の簡単な説明】
【００１７】
【図１】本発明の一実施例におけるレンズ鏡筒のマウント部を示す斜視図である。
【図２】本発明の一実施例におけるレンズ鏡筒の断面図である。
【図３】本発明の一実施例におけるレンズ鏡筒の内部フードを示した斜視図である。
【図４】本発明の一実施例におけるレンズ鏡筒のフィルター抑えを示した斜視図である。
【図５】本発明の一実施例におけるレンズ鏡筒のフィルターがロック状態で取り付けられたマウント部を示す斜視図である。
【図６】本発明の一実施例におけるレンズ鏡筒のフィルターがロック解除状態で取り付けられたマウント部を示す斜視図である。
【図７】本発明の一実施例におけるレンズ鏡筒にとりつけられるフィルターの形状を示す平面図である。
【図８】本発明の一実施例におけるレンズ鏡筒のクリック機構を示した平面図である。
【図９】本発明の一実施例におけるレンズ鏡筒のクリック機構を示した斜視図である。
【発明を実施するための形態】
【００１８】
以下、添付の図面に従って、本発明を実施するための最良の形態について説明する。なお、この実施の形態により本発明が限定されるものではない。
【００１９】
図１は本発明の一実施例におけるレンズ鏡筒のマウント部を示す斜視図である。図２は本発明の一実施例におけるレンズ鏡筒の断面図である。以下、図１、図２を使用してレンズ鏡筒１の部材について説明する。また、本出願においてはマウント部の存在する側を撮像装置側、その反対側を物体側と呼称することとする。
【００２０】
レンズ鏡筒１は撮像装置に交換可能であり、その光学系は中心に光軸を持つ。また、図２に示されるように、本実施例における光学系は撮像装置方向に向かうに従って、最大像高の光線２の光線高が拡大するレンズ構成となっている。
【００２１】
固定筒１０は内部にレンズ鏡室等を持つレンズ鏡筒１の外装部材である。固定筒１０の撮像装置側には内部フード３０が固定され、締結部材６０によってバヨネット部２０が締結されている。
【００２２】
バヨネット部２０は撮像装置へ装着するための装着部材である。バヨネット部２０は撮像装置の着脱部における溝と係合する３か所のバヨネット爪２１を備える。また、本出願においてはバヨネット爪２１の撮像装置側の平面をバヨネット部の端面２２と呼称する。バヨネット部の端面２２は光軸と略直行する。また、バヨネット部２０はその内径側で内部フード３０及びフィルター抑え４０と接している。
【００２３】
図３は本発明の一実施例におけるレンズ鏡筒の内部フードを示した斜視図である。内部フード３０は不必要な光線を遮蔽するための部材である。内部フード３０は物体側から入射した光線が射出される開口部３１を備えており、開口部３１に対して撮像装置側からフィルター５０が取り付け可能である。また、内部フード３０における開口部３１の周囲には段差が存在し、段差の底面であるフィルター面３２は取り付けられるフィルター５０と当接する。フィルター面３２は光軸と略直行する平面であり、バヨネット部の端面２２よりも光軸方向において物体側に位置する平面である。図２に示されるようにフィルター面３２はバヨネット部の端面２２よりも物体側に位置し、最大像高の光線２２の光線高が低いので、内部フード３０に他の部材が配置可能な構成となっている。
【００２４】
また、内部フード３０はフィルター保持部３３と、ガイド部３４と、梁状部３５とを備えている。フィルター保持部３３はフィルター５０の一部が差し込まれるスリット状の長孔部である。ガイド部３４はフィルター抑え４０の溝部４１と摺接する部材である。また、梁状部３５は板形状が長孔を有することで梁状となっている部材である。梁状部３５にはフィルター抑え４０を所定の位置で固定させ、またクリック感を生じさせるための第１凸部３６が形成されており、フィルター抑え４０の挿入部４３と係合する。
【００２５】
図４は本発明の一実施例におけるレンズ鏡筒のフィルター抑えを示した斜視図である。フィルター抑え４０は溝部４１と、抑え部４２と、挿入部４３とを備える一体形成の部材である。フィルター抑え４０はバヨネット部２０と内部フード３０に接しており、両者の間に挟まれて配置されている。溝部４１は内部フード３０のガイド部３４に摺接する。抑え部４２は溝部４１から段差形状となっており、取り付けられるフィルター５０を抑止する。挿入部４３は内部フード３０の梁状部３５と係合し、形成された第２凸部４４が第１凸部３６と係合する。また、本実施例においてフィルター抑え４０の材質はフッ素を含んだポリカーボネートとしており、摺動性に優れている。
【００２６】
次に、本実施例におけるフィルター５０の取り付けについて説明を行う。図５は本発明の一実施例におけるレンズ鏡筒のフィルターがロック状態で取り付けられたマウント部を示す斜視図である。図６は本発明の一実施例におけるレンズ鏡筒のフィルターがロック解除状態で取り付けられたマウント部を示す斜視図である。図７は本発明の一実施例におけるレンズ鏡筒にとりつけられるフィルターの形状を示す平面図である。
【００２７】
フィルター５０は図７に示されるように、差し込み部５１を有した形状をしている。フィルター５０の取り付けは、フィルター保持部３３に撮像装置側からフィルターの差し込み部５１を差し込むことで行われる。差し込まれたフィルター５０は図６のようなフィルター保持部３３のみで保持されたロック解除状態となる。また、内部フード３０の段差の縁は取り付けられるフィルター５０に対する規制部となる。
【００２８】
ロック解除状態からロック状態への移行は、フィルター抑え４０を摺動させることで行われる。図５に示されるようにフィルター抑え４０の抑え部４２がフィルター５０の被抑え部５２を抑止することで、フィルター５０はレンズ鏡筒１から外れない状態でロックされる。なお、本実施例ではフィルター抑え４０は光軸を中心としてバヨネット内径に沿って摺動するが、本発明はこの構成に限定されるものではない。フィルター抑え４０が光軸とは異なる軸を中心として回転するような構成としてもよい。
【００２９】
図８は本発明の一実施例におけるレンズ鏡筒１のクリック機構を示した平面図である。梁状部３５に形成された第１凸部３６と挿入部４３に形成された第２凸部４４とはロック状態において接触している。ここで、フィルター抑え４０に一定以上の力量を与えると、梁状部３５は撓み変形をし、クリック感を伴いながらロック状態とロック解除状態との状態が移行する。このように第１凸部３６を梁状部３５に設ける構成によって、ロック状態の切り替え動作にクリック感が付与されている。
【００３０】
図９は本発明の一実施例におけるレンズ鏡筒のクリック機構を示した斜視図である。フィルター抑え４０はロック状態において、一定以上の力量をスライド方向からかけない限り移動しない。従って、レンズ鏡筒２の組み立て時には図９のように内部フード３０とフィルター抑え４０を一体として組み込むことが可能であり、別々に組み込む場合と比べ、組立工程を削減する事が可能である。
【００３１】
以上のように、本実施例においては、バヨネット部の端面２２よりも物体側にフィルター５０を配置することで、レンズの光線高が拡大する交換レンズ１においても光線上に適切にフィルター５０を配置することができる。また、フィルター保持部３３とスライド移動可能なフィルター抑え４０の２点でフィルター５０をロックしている。従って従来のレンズ鏡筒とは異なり、バヨネット部の端面２２よりも物体側にフィルター５０を配置しながらも、フィルター５０に負荷のかからない容易な取り付けが可能である。また、レンズ鏡筒１の組み立て性にも優れた構造となっている。
【００３２】
なお、本実施例においてフィルター抑え４０は１つとしたが、この構成に限られるものではない。内部フード３０のスペースが許す限り、複数のフィルター抑え４０を設けたレンズ鏡筒としてもよい。また、本実施例においてフィルター抑え４０は内部フード３０と係合する構成としたが、フィルター抑え４０がバヨネット部２０と嵌合する構成としても良い。
【００３３】
また、本発明にかかるレンズ鏡筒は、本発明が適用される撮像装置に応じて適宜変形、及び拡大縮小される。また、必要に応じて、装置の外寸法の変更による外観の変化、部材間の結合位置など、種々の変形や変更が可能であるが、いずれも本発明の均等の範囲内である。
【符号の説明】
【００３４】
１      レンズ鏡筒
２      最大像高の光線
１０    固定筒
２０    バヨネット部
２１    バヨネット爪
２２    バヨネット部の端面
３０    内部フード
３１    開口部
３２    フィルター面
３３    フィルター保持部
３４    ガイド部
３５    梁状部
３６    第１凸部
４０    フィルター抑え
４１    溝部
４２    抑え部
４３    挿入部
４４    第２凸部
５０    フィルター
５１    差込部
５２    被抑え部
６０    締結部材
【図１】
2020067575.tif 000003
【図２】
2020067575.tif 000004
【図３】
2020067575.tif 000005
【図４】
2020067575.tif 000006
【図５】
2020067575.tif 000007
【図６】
2020067575.tif 000008
【図７】
2020067575.tif 000009
【図８】
2020067575.tif 000010
【図９】
2020067575.tif 000011